(57)【要約】【課題】シリーズ化された番組再生に優れた番組再生装置を提供すること。【解決手段】番組再生装置は、録画された番組を再生する再生手段と、前記再生手段による第１の番組の再生中又は再生後の所定操作入力に対応して前記第１の番組に付与された番組情報に基づき前記第１の番組に続く第２の番組を検索し、前記再生手段により前記第２の番組の再生を開始する再生制御手段とを備えている。【選択図】      図１
2007299476.tif 000002
【特許請求の範囲】
【請求項１】
録画された番組を再生する再生手段と、
前記再生手段による第１の番組の再生中又は再生後の所定操作入力に対応して前記第１の番組に付与された番組情報に基づき前記第１の番組に続く第２の番組を検索し、前記再生手段により前記第２の番組の再生を開始する再生制御手段と、
を備えたことを特徴とする番組再生装置。
【請求項２】
前記再生制御手段は、前記第１の番組に付与された番組情報に含まれる番組名及び第ｎ話の情報に基づき、前記番組名と同一の番組名及び第（ｎ＋１）話の情報を含む番組情報が付与された前記第２の番組を検索することを特徴とする請求項１に記載の番組再生装置。
【請求項３】
前記再生制御手段による前記第２の番組の検索結果からの前記第２の番組の未録画の判明に基づき、前記第２の番組の録画を予約する録画予約手段を備えたことを特徴とする請求項１に記載の番組再生装置。
【請求項４】
前記再生制御手段は、前記再生手段による前記第１の番組の再生中又は再生後の所定操作入力に対応して、前記第１の番組の続き番組の再生の指定入力を受け付けるメニュー画面を表示し、このメニュー画面を介しての前記第１の番組の続き番組の再生の指定入力に基づき前記第２の番組を検索し、前記再生手段により前記第２の番組の再生を開始することを特徴とする請求項１に記載の番組再生装置。
【請求項５】
前記再生制御手段は、前記再生手段による前記第１の番組の再生中又は再生後の所定操作入力に対応して、前記第１の番組の続き番組の再生又は録画予約の指定入力を受け付けるメニュー画面を表示し、このメニュー画面を介しての前記第１の番組の続き番組の再生又は録画予約の指定入力に基づき前記第２の番組を検索し、前記第２の番組の録画済みの判明に基づき前記再生手段により前記第２の番組の再生を開始し、
前記録画予約手段は、前記再生制御手段による前記第２の番組の検索結果からの前記第２の番組の未録画の判明に基づき、前記第２の番組の録画を予約する、
ことを特徴とする請求項３に記載の番組再生装置。
【請求項６】
録画された番組を削除候補にする仮削除処理、録画された番組を削除する削除処理、及び録画された番組を保護対象にする保護処理を選択的に実行する録画番組処理手段を備え、
前記再生制御手段は、前記再生手段による前記第１の番組の再生中又は再生後の所定操作入力に対応して、前記第１の番組の続き番組の再生又は録画予約する続き番組処理、前記第１の番組を削除候補にする仮削除処理、前記第１の番組を削除する削除処理、及び前記第１の番組を保護対象にする保護処理の中から所定の処理の選択入力を受け付けるメニュー画面を表示し、このメニュー画面を介しての前記続き番組処理の選択入力に基づき前記第２の番組を検索し、前記第２の番組の録画済みの判明に基づき前記再生手段により前記第２の番組の再生を開始し、
前記録画予約手段は、前記再生制御手段による前記第２の番組の検索結果からの前記第２の番組の未録画の判明に基づき、前記第２の番組の録画を予約し、
前記録画番組処理手段は、前記メニュー画面を介しての前記仮削除処理の選択入力に基づき前記第１の番組を削除候補に加え、前記メニュー画面を介しての前記削除処理の選択入力に基づき前記第１の番組を削除し、前記メニュー画面を介しての前記保護処理の選択入力に基づき前記第１の番組を保護対象にする、
ことを特徴とする請求項３に記載の番組再生装置。
【請求項７】
第１の番組の再生中又は再生後の所定操作入力に対応して前記第１の番組に付与された番組情報に基づき前記第１の番組に続く第２の番組を検索し、
前記第２の番組の再生を開始する、
ことを特徴とする番組再生方法。
【請求項８】
前記第１の番組に付与された番組情報に含まれる番組名及び第ｎ話の情報に基づき、前記番組名と同一の番組名及び第（ｎ＋１）話の情報を含む番組情報が付与された前記第２の番組を検索することを特徴とする請求項７に記載の番組再生方法。
【請求項９】
前記第２の番組の検索結果からの前記第２の番組の未録画の判明に基づき、前記第２の番組の録画を予約することを特徴とする請求項７に記載の番組再生方法。
【請求項１０】
前記第１の番組の再生中又は再生後の所定操作入力に対応して、前記第１の番組の続き番組の再生又は録画予約する続き番組処理、録画された番組を削除候補にする仮削除処理、録画された番組を削除する削除処理、及び録画された番組を保護対象にする保護処理の中から所定の処理の選択入力を受け付けるメニュー画面を表示し、
前記メニュー画面を介しての前記続き番組処理の選択入力に基づき前記第２の番組を検索し、前記第２の番組の録画済みの判明に基づき前記第２の番組の再生を開始し、前記第２の番組の検索結果からの前記第２の番組の未録画の判明に基づき前記第２の番組の録画を予約し、前記メニュー画面を介しての前記仮削除処理の選択入力に基づき前記第１の番組を削除候補に加え、前記メニュー画面を介しての前記削除処理の選択入力に基づき前記第１の番組を削除し、前記メニュー画面を介しての前記保護処理の選択入力に基づき前記第１の番組を保護対象にする、
ことを特徴とする請求項７に記載の番組再生方法。
【発明の詳細な説明】
【技術分野】
【０００１】
本発明は、ハードディスク等に複数の番組を録画し、再生メニューに一覧表示される複数の録画番組の中から選択される所望の録画番組を再生する番組再生装置及び番組再生方法に関する。
【背景技術】
【０００２】
近年、ハードディスク等に複数の番組を録画し、再生メニューに一覧表示される複数の録画番組の中から選択される所望の録画番組を再生する番組録画再生装置の普及が目覚しい。
【０００３】
例えば、このような番組録画再生装置は、放送波により送信される番組表を表示し、この番組表から選択される所望の番組の録画を予約することができる。また、各番組には、番組情報が付与されており、例えばシリーズ化されている番組の番組情報には次回放送予定日時情報が含まれている。このような番組情報を利用し、ある番組の視聴中に、ユーザ操作で視聴中の番組の次回放送分を視聴予約又は録画予約する技術が開示されている（特許文献１参照）。
【特許文献１】特開２００２−１７１４５５
【発明の開示】
【発明が解決しようとする課題】
【０００４】
上記したように、ある番組の視聴中に、ユーザ操作で視聴中の番組の次回放送分を録画予約することができるが、その結果、ハードディスクには多数の番組が保存されることになる。例えば、シリーズ化されている番組を順に視聴するには、ユーザによる検索作業が必要となる。
【０００５】
このように、番組録画再生装置は、ハードディスクには多数の番組を保存することができ、またユーザの嗜好に合わせて自動録画予約することもできるものの、再生環境が不十分であるという問題がある。
【０００６】
本発明の目的は、上記課題を解決するためになされたものであり、シリーズ化された番組再生に優れた番組再生装置及び番組再生方法を提供することにある。
【課題を解決するための手段】
【０００７】
この発明の番組再生装置及び番組再生方法は、以下のように構成されている。
【０００８】
（１）この発明の番組再生装置は、録画された番組を再生する再生手段と、前記再生手段による第１の番組の再生中又は再生後の所定操作入力に対応して前記第１の番組に付与された番組情報に基づき前記第１の番組に続く第２の番組を検索し、前記再生手段により前記第２の番組の再生を開始する再生制御手段とを備えている。
【０００９】
（２）この発明の番組再生方法は、第１の番組の再生中又は再生後の所定操作入力に対応して前記第１の番組に付与された番組情報に基づき前記第１の番組に続く第２の番組を検索し、前記第２の番組の再生を開始する。
【発明の効果】
【００１０】
本発明によれば、シリーズ化された番組再生に優れた番組再生装置及び番組再生方法を提供できる。
【発明を実施するための最良の形態】
【００１１】
以下、図面を参照し、本発明の実施形態について説明する。
【００１２】
図１は、本発明の一実施形態に係る情報記録再生装置（番組再生装置）の概略構成を示すブロック図である。
【００１３】
図１に示す情報記録再生装置は、ＤＶＤなどの光ディスク１０とハードディスク部１４の双方に番組を録画することができる。なお、この情報記録再生装置は、番組の録画先として、例えば半導体メモリを備えることもできる。
【００１４】
図１において、左側には記録部の主なブロックが示され、右側には再生部の主なブロックが示されている。情報記録再生装置は、ディスクドライブ部１２、ハードディスクドライブ部１４の２種類のディスクドライブ部を備える。ディスクドライブ部１２は、光ディスク１０を回転駆動し、情報の読み書きを実行する。ディスクドライブ部１２は、光ディスク１０に対する回転制御系、レーザ駆動系、光学系などを備える。また、ハードディスクドライブ部１４は、ハードディスクを駆動し、情報の読み書きを実行する。
【００１５】
また、情報記録再生装置は、データプロセッサ部１６を備え、このデータプロセッサ部１６は、ディスクドライブ部１２及びハードディスクドライブ部１４に記録データを供給し、また、ディスクドライブ部１２及びハードディスクドライブ部１４により読み出された再生データを受け取る。データプロセッサ部１６は、所定単位の記録データまたは再生データを処理し、バッファ回路、変調・復調回路、エラー訂正回路などを備える。
【００１６】
また、情報記録再生装置は、エンコーダ部３０、デコーダ部５０、マイクロコンピュータブロック７０を備えている。エンコーダ部３０には、スイッチ２０を介して、ＡＶ入力部１８ａからの外部アナログビデオ信号と外部アナログオーディオ信号が入力される。また、エンコーダ部３０には、スイッチ２０を介して、地上波アナログチューナ１８ｂ、地上波デジタルチューナ１８ｃ、衛星ＢＳ／ＣＳチューナ１８ｄ、衛星アナログチューナ１８ｅからの受信信号が選択的に入力される。例えば、この情報記録再生装置は、地上波デジタルチューナ１８ｃで受信した番組をハードディスクドライブ部１４により録画しつつ、同時に、衛星ＢＳ／ＣＳチューナ１８ｄで受信した番組をデコーダ５０により再生することができる。
【００１７】
エンコーダ部３０は、トランスポートストリーム処理部及び複数のエンコーダを備えており、各エンコーダはアナログデジタルコンバータ、ビデオエンコーダ（主映像エンコーダと副映像エンコーダ）及びオーディオエンコーダを備えている。アナログデジタルコンバータは、入力されたアナログビデオ信号やアナログオーディオ信号をデジタル化する。主映像エンコーダはデジタルビデオ信号の主映像信号をエンコードし、オーディオエンコーダはデジタルオーディオ信号をエンコードし、副映像エンコーダはデジタルビデオ信号の副映像信号をエンコードする。より具体的には、ビデオエンコーダは、デジタルビデオ信号をＭＰＥＧ２またはＭＰＥＧ１規格に基づいて可変ビットレートで圧縮する。オーディオエンコーダは、デジタルオーディオ信号をＭＰＥＧまたはＡＣ−３規格に基づいて固定ビットレートで圧縮する。
【００１８】
ＡＶ入力部１８ａからの副映像信号（例えば副映像信号の独立出力端子付ＤＶＤビデオプレーヤからの信号）がエンコーダ部３０に対して入力された場合、あるいは副映像信号が含まれたＤＶＤビデオ信号がＴＶチューナ部で受信された場合は、ＤＶＤビデオ信号中の副映像信号が副映像エンコーダでエンコード（ランレングス符号化）されて副映像のビットマップとなる。
【００１９】
エンコーダ部３０からのエンコード出力信号は、フォーマッタ３２にて所定のＤＶＤのフォーマットに変換され、データプロセッサ部１６に供給される。なお、フォーマッタ３２には、バッファメモリ３４が接続されており、エンコード出力信号がバッファリングされる。具体的には、エンコードされたデジタルビデオ信号、デジタルオーディオ信号、副映像データは、フォーマッタ３２にてパック化され、ビデオパック、オーディオパック、副映像パックとなり、さらにこれらが集合されて、ＤＶＤ-ビデオ規格で規定されたフォーマット（ＤＶＤ  Ｖｉｄｅｏフォーマット）や、ＤＶＤ-レコーディング規格で規定されたフォーマット（ＤＶＤ  ＶＲフォーマット）に変換される。
【００２０】
なお、トランスポートストリームから抽出したパケットエレメンタリーストリームが、エンコーダ部３０から直接ハードディスクドライブ部１４のハードディスクに記録される場合もある。
【００２１】
なお、エンコーダ部３０は、圧縮されたデジタルビデオ信号やデジタルオーディオ信号が直接入力されるときは、圧縮デジタルビデオ信号やデジタルオーディオ信号を直接フォーマッタ３２に供給することもできる。またエンコーダ部３０は、アナログデジタル変換されたデジタルビデオ信号やオーディオ信号を、ビデオミキシング部５６やオーディオセレクタ５２に直接供給することもできる。
【００２２】
フォーマッタ３２でフォーマットデータ（ビデオ、オーディオ、副映像データなどのパック）及び作成された管理情報は、データプロセッサ部１６を介してハードディスクドライブ部１４あるいはデータディスクドライブ部１２に供給され、ハードディスクあるいは光ディスク１０に記録される。またハードディスクあるいは光ディスク１０に記録されたフォーマットデータ及び管理情報は、データプロセッサ部１６、ディスクドライブ部１２を介して光ディスク１０あるいはハードディスクに記録することもできる（ハードディスク→光ディスク／光ディスク→ハードディスク）。
【００２３】
また、データプロセッサ部１６は、ハードディスクあるいは光ディスク１０に記録されている番組データを構成するビデオオブジェクトの一部を削除したり、異なる複数の番組を構成するビデオオブジェクトの一部をつなぎあわせたりする編集処理を行うこともできる。
【００２４】
マイクロコンピュータブロック７０は、ＭＰＵ（マイクロプロセッシングユニット）またはＣＰＵ（セントラルプロセッシングユニット）と、制御プログラム等が書きこまれたＲＯＭと、プログラム実行に必要なワークエリアを提供するためのＲＡＭとを備えている。さらに、マイクロコンピュータブロック７０は、電子番組ガイド（Electronic Program Guide）処理部７０１、録画制御部７０２、再生制御部７０３、編集処理部７０４、表示制御部７０５を備えている。
【００２５】
ＭＰＵの実行結果のうち、ユーザに通知すべき内容は、情報記録再生装置の表示部７４に表示されるか、または情報記録再生装置に接続されるモニターディスプレイにＯＳＤ（オンスクリーンディスプレイ）表示される。また、マイクロコンピュータブロック７０は、ネットワークインターフェース７２を介して、外部ネットワークに接続することが可能である。これにより、外部ネットワークを介して電子番組ガイド（Electronic Program Guide）を取り込むことも可能である。
【００２６】
また、マイクロコンピュータブロック７０は、ＳＴＣ（システムタイムクロック）４０からの時間データに基づいて、ディスクドライブ部１２、ハードディスクドライブ部１４、データプロセッサ部１６、エンコーダ部３０、デコーダ部５０などを制御する。なお、録画や再生の動作は、ＳＴＣ４０からのタイムクロックに同期して実行されるが、それ以外の処理はＳＴＣ４０とは独立したタイミングで実行されてもよい。
【００２７】
また、マイクロコンピュータブロック７０にはキー入力部７６からの操作入力信号が入力される。このキー入力部７６は、例えば情報記録再生装置の本体上に設けた操作スイッチ類及び本体から独立したリモートコントローラである。或いは、このキー入力部７６は、情報記録再生装置と有線通信あるいは無線通信により接続されるパーソナルコンピューターであってもよい。このキー入力部７６を介しての操作入力に基づき、情報記録再生装置は、再生、停止、録画、編集などを実行する。さらに、このキー入力部７６を介しての操作入力に基づき、情報記録再生装置は、後述する続き番組処理、仮削除処理、削除処理、保護処理なども実行する。
【００２８】
デコーダ部５０は、セパレータ、メモリ、ビデオデコーダ（主映像デコーダ及び副映像デコーダ）、オーディオデコーダ、ビデオプロセッサを備えている。セパレータは、パック構造を持つＤＶＤフォーマットの信号から各パックを分離して取り出す。メモリは、パック分離やその他の信号処理実行時に使用される。主映像デコーダは、セパレータで分離された主映像データ（ビデオパックの内容）をデコードする。副映像デコーダは、セパレータで分離された副映像データ（副映像パックの内容）をデコードする。オーディオデコーダは、セパレータで分離されたオーディオデータ（オーディオパックの内容）をデコードする。ビデオプロセッサは、デコードされた主映像にデコードされた副映像（メニュー、ハイライトボタン、字幕など）を合成する。
【００２９】
デコーダ部５０から出力されるビデオ信号は、ビデオミキシング部５６に入力される。ビデオミキシング部５６は、例えばテキストデータを合成する。またビデオミキシング部５６には、ＡＶ入力部１８a、地上波アナログチューナ１８ｂ、地上波デジタルチューナ１８ｃ、衛星ＢＳ／ＣＳチューナ１８ｄ、衛星アナログチューナ１８ｅからの信号を直接取り込むラインが接続されている。ビデオミキシング部５６には、バッファとして用いるフレームメモリ５８が接続されている。ビデオミキシング部５６から出力されるアナログビデオ信号はＩ／Ｆ（インタフェース）７３を介してそのまま外部へ出力され、ビデオミキシング部５６から出力されるデジタルビデオ信号はデジタルアナログ変換器６２を介してアナログビデオ信号へ変換され外部（例えばモニタ６４）へ出力される。
【００３０】
デコーダ部５０から出力されるデジタルオーディオ信号は、セレクタ５２を介してデジタルアナログ変換器５４でアナログオーディオ信号へ変換され外部（例えばスピーカ）に出力される。セレクタ５２は、マイクロコンピュータブロック７０からのセレクト信号により制御される。これによりセレクタ５２は、ＡＶ入力部１８aや地上波デジタルチューナ１８ｃからのデジタル信号を直接モニタする時、エンコーダ部３０をスルーした信号を直接選択することも可能である。
【００３１】
なお、エンコーダ部３０のフォーマッタは、録画中、切り分け情報を作成し、定期的にマイクロコンピュータブロック７０のＭＰＵへ送る。切り分け情報には、ＶＯＢＵのパック数、ＶＯＢＵの先頭からのIピクチャのエンドアドレス、ＶＯＢＵの再生時間などが含まれる。
【００３２】
また、この情報記録再生装置は、録画番組を構成するデータにアクセス（シーク）している間に、途切れないで録画番組の再生を続けるために、最低限連続させなければならない情報単位を決めている。この情報単位の記録エリアをＣＤＡ（コンティギュアス・データ・エリア）と呼ぶ。ＣＤＡには、ＥＣＣ（エラー訂正コード）ブロック（１６セクタ）の倍数の情報が記録される。
【００３３】
データプロセッサ部１６は、エンコーダ部３０のフォーマッタからＶＯＢＵ単位のデータを受け取り、ＶＯＢＵ単位のデータからＣＤＡ単位のデータを生成し、ＣＤＡ単位のデータをディスクドライブ部１２あるいはハードディスクドライブ部１４に供給する。またマイクロコンピュータブロック７０のＭＰＵは、記録したデータを再生するのに必要な管理情報を作成し、データ記録終了のコマンドを認識すると、作成した管理情報をデータプロセッサ部１６に送る。これにより、管理情報が記録される。
【００３４】
次に、図３に示す選択メニュー画面Ｄ２、図４に示す次回予約選択画面Ｄ６、図８に示す画面遷移例、図９〜図１１に示すフローチャートを参照して、上記説明した情報記録再生装置による続き番組処理、仮削除処理、削除処理、保護処理について説明する。
【００３５】
図２は、キー入力部７６のいくつかのキーとこれらキー操作に対応する機能の関係を示す図である。
【００３６】
キー入力部７６は、例えば、番組ガイド表示キー、録画予約番組一覧表示キー、再生番組一覧表示キー、削除キー、決定キー、十字キーを備えており、この十字キーは、上下キー及び左右キーを備えている。
【００３７】
番組ガイド表示キーの操作（押下）に対応して、マイクロコンピュータブロック７０の電子番組ガイド処理部７０１及び表示制御部７０５は、電子番組ガイドをモニタ６４に表示する。電子番組ガイドがモニタ６４に表示された状態での十字キーの操作（押下）に対応して、電子番組ガイドの各番組セル上をカーソルが移動する。所望の番組セルにカーソルが位置した状態での決定キーの操作（押下）に対応して、所望の番組が録画予約される。この手順の繰り返しで、複数の番組の録画を予約することができる。
【００３８】
また、録画予約番組一覧表示キーの操作（押下）に対応して、マイクロコンピュータブロック７０の録画制御部７０２及び表示制御部７０５は、録画予約番組の一覧をモニタ６４に表示する。録画制御部７０３は、上記手順で録画予約された番組を指定された録画先（ハードディスク又は光ディスク１０）に録画する。
【００３９】
続いて、再生番組一覧表示キーの操作（押下）に対応して、マイクロコンピュータブロック７０の再生制御部７０３及び表示制御部７０５は、録画先に録画されている再生番組一覧（図１２参照）をモニタ６４に表示する。再生番組一覧がモニタ６４に表示された状態での十字キーの操作（押下）に対応して、再生番組一覧の各再生番組セル上をカーソルが移動する。所望の再生番組セルにカーソルが位置した状態での決定キーの操作（押下）に対応して、所望の再生番組が再生される（図８の画面Ｄ１）。
【００４０】
図９のフローチャートに示すように、番組の再生中の決定キーの操作（押下）に対応して（図９のＳＴ１０１、ＹＥＳ）、再生中の番組（以下、第１の番組と称する）が処理対象となり（図９のＳＴ１０２）、図３及び図８に示す選択メニュー画面Ｄ２が表示される。
【００４１】
また、番組の再生後の決定キーの操作（押下）に対応して（図９のＳＴ１０３、ＹＥＳ）、直前に再生した番組（上記と同様に、以下、第１の番組と称する）が処理対象となり（図９のＳＴ１０４）、選択メニュー画面Ｄ２（図３及び図８参照）が表示される（図９のＳＴ１０５）。
【００４２】
図３及び図８に示すように、選択メニュー画面Ｄ２には、複数の選択肢が表示される。例えば、選択メニュー画面Ｄ２には、続きを見る（次回予約）、ゴミ箱へ、即削除、お気に入り（保護）などの選択肢が表示される。選択メニュー画面Ｄ２がモニタ６４に表示された状態での上下キーの操作（押下）に対応して、各選択肢上をカーソルが移動する。所望の選択肢にカーソルが位置した状態での決定キーの操作（押下）に対応して、所望の選択肢が選択される（図９のＳＴ１０６、ＹＥＳ）。
【００４３】
例えば、選択肢「続きを見る（次回予約）」が選択されると、再生制御部７０３及び録画制御部７０２により続き番組処理が実行される。具体的には、再生制御部７０３は、第１の番組（例えば図１２に示す再生番組３）に付与された番組情報に含まれる番組名（図１２に示す番組タイトルＣ）及び第ｎ話（図１２に示す第１話）の情報に基づき、録画先からこの番組名と同一の番組名（図１２に示す番組タイトルＣ）及び第（ｎ＋１）話（図１２に示す第２話）の情報を含む番組情報が付与された第２の番組（図１２に示す再生番組８）を検索する。
【００４４】
さらに、第２の番組の検索に成功、つまり第２の番組の録画済みの判明に基づき（図９のＳＴ１０７、ＹＥＳ）、表示制御部７０５は、「続きの番組を再生します」の案内をモニタ６４に表示し（図８の続き再生案内画面Ｄ５）、再生制御部７０３は、第２の番組の再生を開始する（図８の再生中画面Ｄ１０、図９のＳＴ１０８）。
【００４５】
また、録画制御部７０２は、第２の番組の検索に失敗、つまり第２の番組の未録画の判明に基づき（図９のＳＴ１０７、ＮＯ)、この第２の番組の録画を予約する（図９のＳＴ１０９）。
【００４６】
図１１に示すように、録画制御部７０２は、第１の番組（例えば図１２に示す再生番組３）に付与された番組情報に含まれる番組名（図１２に示す番組タイトルＣ）及び第ｎ話（図１２に示す第１話）の情報に基づき、電子番組ガイドからこの番組名と同一の番組名（図１２に示す番組タイトルＣ）及び第（ｎ＋１）話（図１２に示す第２話）の情報を含む番組情報が付与された第２の番組（図１２に示す再生番組８）を検索する（図１１のＳＴ３０１）。なお、第１の番組に付与された番組情報に基づき、番組放送の規則性（毎週／毎日など）を判断し、電子番組ガイドから第１の番組の続き番組（第２の番組）を検索することもできる。
【００４７】
検索に成功すると、表示制御部７０５は、図４及び図８に示すように、次回予約選択画面Ｄ６をモニタ６４に表示する（図１１のＳＴ３０２）。次回予約選択画面Ｄ６には、複数の選択肢が表示される。例えば、次回予約選択画面Ｄ６には、次回放送日時、放送曜日、シリーズ自動録画などの選択肢が表示される。
【００４８】
次回放送日時が検出された場合には、例えば図５に示すように、「次回４月１日２１：００〜」のように表示される。次回放送日時が検出されなかった場合には、例えば図５に示すように、「日時指定（次回不明）」のように表示される。規則性（毎週／毎日など）が検出された場合には、例えば図５に示すように、「毎週金曜日」のように表示される。規則性（毎週／毎日など）が検出されなかった場合には、例えば図５に示すように、「曜日指定（放送曜日不明）」のように表示される。
【００４９】
選択肢「次回ＸＸ月ＸＸ日ＸＸ時〜ＸＸ時」（例えば４月３０日１９：００〜２０：００）が選択されると、選択に基づき予約が確定し（図１１のＳＴ３０４、ＳＴ３０９）、図８に示すような予約完了案内画面Ｄ８が表示される。選択肢「毎週Ｘ曜日ＸＸ時〜ＸＸ時」（例えば毎週金曜日１９：００〜２０：００）が選択されると、選択に基づき予約が確定し（図１１のＳＴ３０５、ＳＴ３０９）、図８に示すような予約完了案内画面Ｄ８が表示される。例えば、選択肢「シリーズ自動録画」が選択されると、選択に基づき予約が確定し（図１１のＳＴ３０６、ＳＴ３０９）、図８に示すような予約完了案内画面Ｄ８が表示される。例えば、選択肢「日時指定（次回不明）」が選択されると、日時指定に基づき予約が確定し（図１１のＳＴ３０７、ＳＴ３０９）、図８に示すような予約完了案内画面Ｄ８が表示される。例えば、選択肢「曜日指定（放送曜日不明）」が選択されると、曜日指定に基づき予約が確定し（図１１のＳＴ３０８、ＳＴ３０９）、図８に示すような予約完了案内画面Ｄ８が表示される。
【００５０】
図９のフローチャートに示すように、例えば、選択肢「ゴミ箱へ」が選択されると、編集処理部７０４により仮削除処理が実行される（図９のＳＴ１１０）。具体的には、編集処理部７０４は、第１の番組をゴミ箱フォルダへ移動させる。なお、第１の番組が再生中の場合には第１の番組の再生が中断されてから、編集処理部７０４は第１の番組をゴミ箱フォルダへ移動させ、表示制御部７０５は「第１の番組（番組名）をゴミ箱に移動しました」の案内をモニタ６４に表示する（図８の仮削除案内画面Ｄ３、図９のＳＴ１１１）。ゴミ箱フォルダに集められた番組ファイルは、ゴミ箱フォルダ内のデータを空にする操作により、一括削除できる。
【００５１】
例えば、選択肢「即削除」が選択されると、編集処理部７０４により削除処理が実行される（図９のＳＴ１１２）。具体的には、編集処理部７０４は、第１の番組を即削除する。なお、第１の番組が再生中の場合には第１の番組の再生が中断されてから、編集処理部７０４は第１の番組を即削除し、表示制御部７０５は「第１の番組（番組名）を削除しました」の案内をモニタ６４に表示する（図８の削除案内画面Ｄ４、図９のＳＴ１１３）。
【００５２】
例えば、選択肢「保護設定」が選択されると、編集処理部７０４により保護処理が実行される（図９のＳＴ１１４）。具体的には、編集処理部７０４は、第１の番組の削除（即削除）を禁止する、表示制御部７０５は「第１の番組（番組名）を保護設定しました」の案内をモニタ６４に表示する（図８の保護設定案内画面Ｄ７、図９のＳＴ１１５）。
【００５３】
また、図１０のフローチャートに示すように、番組の再生中の削除キーの操作（押下）に対応して（図１０のＳＴ２０１、ＹＥＳ）、再生中の番組（第１の番組）が処理対象となり（図１０のＳＴ２０２）、第１の番組の再生が中断され、編集処理部７０４は第１の番組をゴミ箱フォルダへ移動させ（図１０のＳＴ２０８）、表示制御部７０５は「第１の番組（番組名）をゴミ箱に移動しました」の案内をモニタ６４に表示する（図８の仮削除案内画面Ｄ３、図１０のＳＴ２０９）。ゴミ箱フォルダに集められた番組ファイルは、ゴミ箱フォルダ内のデータを空にする操作により、一括削除できる。
【００５４】
また、番組の再生直後の削除キーの操作（押下）に対応して（図１０のＳＴ２０４、ＹＥＳ）、直前に再生した番組（第１の番組）が処理対象となり（図１０のＳＴ２０５）、表示制御部７０５は「第１の番組（番組名）をゴミ箱に移動します［ＹＥＳ］［ＮＯ）］」の案内をモニタ６４に表示する（図１０のＳＴ２０６）。左右キーの操作（押下）により［ＹＥＳ］が選択されると（図１０のＳＴ２０７、ＹＥＳ）、編集処理部７０４は第１の番組をゴミ箱フォルダへ移動させ（図１０のＳＴ２０８）、表示制御部７０５は「第１の番組（番組名）をゴミ箱に移動しました」の案内をモニタ６４に表示する（図８の仮削除案内画面Ｄ３、図１０のＳＴ２０９）。
【００５５】
なお、図３に示す選択メニュー画面Ｄ２の替わりに、図６に示す選択メニュー画面Ｄ２１（再生と予約は手動で選択する）を採用するようにしてもよい。
【００５６】
また、図４に示す次回予約選択画面Ｄ６の替わりに、図７に示す次回予約選択画面Ｄ６１を採用するようにしてもよい。上下キーの操作（押下）に応じて、次回予約選択画面Ｄ６１の次回ｎ月ｍ日xx時xx分の表示は、毎週月曜日xx時xx分、毎週火曜日xx時xx分、毎週水曜日xx時xx分、毎週木曜日xx時xx分、毎週金曜日xx時xx分（次回予約選択画面Ｄ６２）、毎週土曜日xx時xx分、毎週日曜日xx時xx分と遷移する。
【００５７】
上記説明した実施形態により、以下の効果が得られる。
【００５８】
（１）再生中又は再生直後の簡単なユーザ操作にて、再生中の番組又は直前の再生番組の次回番組を即時に再生することができ、次回番組が未録画であれば次回番組を録画予約することができる。また、次回番組の番組情報（番組名等）が表示される。
【００５９】
（２）再生中又は再生直後の簡単なユーザ操作にて、再生中の番組又は直前の再生番組を即削除したり、ゴミ箱フォルダに移動したりすることができる。また、削除又は移動対象となる再生中又は直前の再生番組の番組情報（番組名等）が表示される。
【００６０】
（３）再生中又は再生直後の簡単なユーザ操作にて、再生中の番組又は直前の再生番組を保護設定することができる。また、保護設定対象となる再生中又は直前の再生番組の番組情報（番組名等）が表示される。
【００６１】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００６２】
【図１】本発明の一実施形態に係る情報記録再生装置（番組再生装置）の概略構成を示すブロック図である。
【図２】キー入力部のいくつかのキーとこれらキー操作に対応する機能の関係を示す図である。
【図３】選択メニュー画面の第一例を示す図である。
【図４】次回予約選択画面の一例を示す図である。
【図５】図４に示す次回予約選択画面の表示条件の一例を示す図である。
【図６】選択メニュー画面の第二例を示す図である。
【図７】次回予約選択画面の第二例を示す図である。
【図８】画面遷移の一例を示す図である。
【図９】続き番組処理、仮削除処理、削除処理、保護処理の一例を示すフローチャートである。
【図１０】削除処理の一例を示すフローチャートである。
【図１１】続き番組処理のうちの番組予約処理の一例を示すフローチャートである。
【図１２】再生番組の一覧表示例を示す図である。
【符号の説明】
【００６３】
１２…ディスクドライブ部、１４…ハードディスク部、３０…エンコーダ部、５０…デコーダ部、７０…マイクロコンピュータブロック、７０１…電子番組ガイド処理部、７０２…録画制御部、７０３…再生制御部、７０４…編集処理部、７０５…表示制御部
【図１】
2007299476.tif 000003
【図２】
2007299476.tif 000004
【図３】
2007299476.tif 000005
【図４】
2007299476.tif 000006
【図５】
2007299476.tif 000007
【図６】
2007299476.tif 000008
【図７】
2007299476.tif 000009
【図８】
2007299476.tif 000010
【図９】
2007299476.tif 000011
【図１０】
2007299476.tif 000012
【図１１】
2007299476.tif 000013
【図１２】
2007299476.tif 000014